(57)【要約】【課題】切断作業を円滑に進めることができる、保護管用の切断工具を提供する。【解決手段】切断工具３は、断面略長円形状の保護管２を切断するものであって、工具本体４と、第１および第２刃部５ａ、６ａと、カバー体７とを備える。工具本体４は、貫通部４ａと、その貫通部４ａに対し保護管２を出し入れ可能な開口部４ｂとを有する。第１刃部５ａは、開口部４ｂに突出して、開口部４ｂを通る保護管２の、断面略長円形状の幅狭方向Ｐ１の側にある第１の周壁２ａを切断する。第２刃部６ａは、貫通部４ａに突出して、その貫通部４ａを貫通して工具本体４に対して相対的に回動する保護管２の、断面略長円形状の幅広方向Ｐ２の側にある第２の周壁２ｂを切断する。そして、カバー体７は、第２刃部６ａよりも貫通部４ａの中央側に突出する第１移動域と、第２刃部６ａを貫通部４ａの中央側に露出させる第２移動域とに渡って移動可能である。【選択図】  図４
2015073642.tif 000002
【特許請求の範囲】
【請求項１】
断面略長円形状の保護管を切断する、切断工具であって、
工具本体と、その工具本体に固定される第１の刃体および第２の刃体と、カバー体とを備え、
前記工具本体は、前記保護管が貫通可能な貫通部と、その貫通部に対し前記保護管をその断面略長円形状の幅広方向の側から出し入れ可能な開口部とを有し、
前記第１の刃体の刃部である第１刃部は、前記開口部に突出して、その開口部を前記保護管が通ることでその保護管の断面略長円形状の幅狭方向の側にある第１の周壁を切断し、
前記第２の刃体の刃部である第２刃部は、前記貫通部に突出して、その貫通部を貫通する前記保護管が前記工具本体に対して相対的に回動することでその保護管の断面略長円形状の幅広方向の側にある第２の周壁を切断し、また、
前記カバー体は、前記貫通部に設けられ、その貫通部の軸心方向に垂直な面に沿って移動可能であって、その移動により、前記カバー体は、前記第２刃部よりも前記貫通部の中央側に突出する第１移動域と、前記第２刃部よりも前記貫通部の中央側に突出することなく前記第２刃部を前記貫通部の中央側に露出させる第２移動域とに渡って移動し、
前記カバー体は、前記第１移動域中に、前記貫通部に対し、前記保護管を、前記開口部を通じて出し入れ可能とする、出し入れ位置を有する、保護管用の切断工具。
【請求項２】
前記カバー体は、前記工具本体によって、前記貫通部の軸心回りに回動可能に支持され、かつ、
前記カバー体は、前記保護管の外周に係合する係合部を有し、
前記カバー体が前記出し入れ位置にあるときに前記開口部から前記貫通部に挿入された前記保護管に対し、前記工具本体を回動させると、前記係合部が前記保護管の外周に係合して前記カバー体がその保護管側に留まることで、そのカバー体は、前記工具本体に対して相対的に回動して前記第１移動域と前記第２移動域とに渡って移動するとともに、その第２移動域にて前記第２刃部が前記保護管の第２の周壁を切断する、請求項１に記載の保護管用の切断工具。
【請求項３】
前記係合部は、前記保護管の第１の周壁の両方の外側に嵌合してその保護管を保持する保持部からなる、請求項２に記載の保護管用の切断工具。
【請求項４】
前記保護管は、その周壁に山谷が形成されたコルゲート管からなり、
前記第１の刃体および前記第２の刃体は、前記コルゲート管の山の部分を切断し、
前記開口部の口縁には、前記コルゲート管の谷に入り込んでそのコルゲート管の長手方向の移動を阻止する第１係止部が設けられ、
前記カバー体には、前記コルゲート管の谷に入り込んでそのコルゲート管の長手方向の移動を阻止する第２係止部が設けられる、請求項３に記載の保護管用の切断工具。
【発明の詳細な説明】
【技術分野】
【０００１】
この発明は、断面略長円形状の保護管を切断する、保護管用の切断工具に関するものである。
【背景技術】
【０００２】
従来、断面略長円形状のコルゲート管を切断する、切断工具があった（例えば、特許文献１参照）。図１６に示すように、この切断工具２１は、Ｃ字状の拡大頭部２２ａを有するカッタ本体２２を備えていた。このカッタ本体２２の拡大頭部２２ａは、その内側の空間が、コルゲート管２０が受け入れられる受入孔２３となり、対向する両端間が、コルゲート管２０を受入孔２３に挿入するための挿入口２４となっていた。そして、挿入口２４には、第１切刃２５が設けられ、受入孔２３には、直状の第２切刃２６が設けられた。そこで、コルゲート管２０を、挿入口２４に通すことで、コルゲート管２０の両側壁部２０ａ、２０ａが、第１切刃２５によって切断された。そして、受入孔２３に受け入れられたコルゲート管２０に対し、切断工具２１を回動することで、コルゲート管２０の両端湾曲壁部２０ｂ、２０ｂが、第２切刃２６によって切断された。
【先行技術文献】
【特許文献】
【０００３】
【特許文献１】特開平１０−３２８４４０号公報
【発明の概要】
【発明が解決しようとする課題】
【０００４】
ところで、前記従来の切断工具２１にあっては、第２切刃２６（第２刃部）が、拡大頭部２２ａの内側に大きく露出していた。このため、作業者は、その露出した第２切刃２６に注意を払ってコルゲート管２０（保護管）の切断作業する必要があり、面倒であった。
【０００５】
この発明は、上記した従来の欠点を解決するためになされたものであり、その目的とするところは、第２刃部に注意を払う必要がなく、切断作業を円滑に進めることができる、保護管用の切断工具を提供することにある。
【課題を解決するための手段】
【０００６】
この発明に係る保護管用の切断工具は、前記目的を達成するために、次の構成からなる。すなわち、
請求項１に記載の発明に係る保護管用の切断工具は、断面略長円形状の保護管を切断する、切断工具である。この切断工具は、工具本体と、その工具本体に固定される第１の刃体および第２の刃体と、カバー体とを備える。ここで、前記工具本体は、前記保護管が貫通可能な貫通部と、その貫通部に対し前記保護管をその断面略長円形状の幅広方向の側から出し入れ可能な開口部とを有する。前記第１の刃体の刃部である第１刃部は、前記開口部に突出して、その開口部を前記保護管が通ることでその保護管の断面略長円形状の幅狭方向の側にある第１の周壁を切断する。前記第２の刃体の刃部である第２刃部は、前記貫通部に突出して、その貫通部を貫通する前記保護管が前記工具本体に対して相対的に回動することでその保護管の断面略長円形状の幅広方向の側にある第２の周壁を切断する。また、前記カバー体は、前記貫通部に設けられ、その貫通部の軸心方向に垂直な面に沿って移動可能であって、その移動により、前記カバー体は、前記第２刃部よりも前記貫通部の中央側に突出する第１移動域と、前記第２刃部よりも前記貫通部の中央側に突出することなく前記第２刃部を前記貫通部の中央側に露出させる第２移動域とに渡って移動する。そして、前記カバー体は、前記第１移動域中に、前記貫通部に対し、前記保護管を、前記開口部を通じて出し入れ可能とする、出し入れ位置を有する。
【０００７】
この切断工具によると、工具本体は、保護管が貫通可能な貫通部と、その貫通部に対し保護管を出し入れ可能な開口部とを有している。ここにおいて、開口部には、保護管の断面略長円形状の幅狭方向の側にある第１の周壁を切断する第１刃部が突出し、貫通部には、保護管の断面略長円形状の幅広方向の側にある第２の周壁を切断する第２刃部が突出している。そして、切断工具は、貫通部に、カバー体を備え、そのカバー体は、貫通部の軸心方向に垂直な面に沿って移動することで、第２刃部よりも貫通部の中央側に突出する第１移動域と、第２刃部よりも貫通部の中央側に突出することなく第２刃部を貫通部の中央側に露出させる第２移動域とに渡って移動する。そこで、この切断工具により、保護管を切断するには、カバー体を第１移動域中の出し入れ位置にして、保護管がその断面略長円形状の幅広方向の側から開口部を通って貫通部に入るように、切断工具を進める。このとき、保護管の断面略長円形状の幅狭方向の側にある第１の周壁が、開口部に突出する第１刃部によって切断される。次に、保護管が工具本体に対して相対的に回動するように、切断工具を回動する。これにより、保護管の断面略長円形状の幅広方向の側にある第２の周壁が、貫通部に突出する第２刃部によって切断される。ここで、カバー体は、切断工具の回動に先だって作業者の操作により第２移動域に移動したり、切断工具の回動に連動して第２移動域に移動したりする。次いで、保護管の断面略長円形状の幅広方向の側が開口部側を向くように、切断工具の回動位置を定めて、切断工具を保護管から後退させることで、保護管は、貫通部から開口部を通って外に出ることができる。ここで、カバー体は、切断工具の回動位置を定めた後に作業者の操作により出し入れ位置に移動したり、切断工具の回動に連動して出し入れ位置に移動したりする。こうして、この切断工具により、保護管の断面略長円形状の幅狭方向の側にある第１の周壁および幅広方向の側にある第２の周壁を切断することができる。そして、保護管を工具本体の貫通部に入れる際とか、保護管を貫通部から出す際には、カバー体は、第１移動域にあり、第２刃部よりも貫通部の中央側に突出しているため、この第２刃部に注意を払う必要がない。
【０００８】
また、請求項２に記載の発明に係る保護管用の切断工具は、請求項１に記載の切断工具において、前記カバー体は、前記工具本体によって、前記貫通部の軸心回りに回動可能に支持される。そして、前記カバー体は、前記保護管の外周に係合する係合部を有する。そこで、前記カバー体が前記出し入れ位置にあるときに前記開口部から前記貫通部に挿入された前記保護管に対し、前記工具本体を回動させると、前記係合部が前記保護管の外周に係合して前記カバー体がその保護管側に留まることで、そのカバー体は、前記工具本体に対して相対的に回動して前記第１移動域と前記第２移動域とに渡って移動するとともに、その第２移動域にて前記第２刃部が前記保護管の第２の周壁を切断する。すなわち、この切断工具にあっては、工具本体の回動に連動して、カバー体は、第１移動域と第２移動域とに渡って移動し、第２移動域にて、露出する第２刃部により保護管の第２の周壁が切断される。
【０００９】
また、請求項３に記載の発明に係る保護管用の切断工具は、請求項２に記載の切断工具において、前記係合部は、前記保護管の第１の周壁の両方の外側に嵌合してその保護管を保持する保持部からなる。この切断工具によると、保持部により、切断工具の、保護管に対するがたつきを抑えることができる。このため、切断工具を、正確に保護管の軸心に対して垂直な方向に回動させることができ、保護管の第２の周壁の切断を安定して行うことができる。
【００１０】
また、請求項４に記載の発明に係る保護管用の切断工具は、請求項３に記載の切断工具において、前記保護管は、その周壁に山谷が形成されたコルゲート管からなる。そこで、前記第１の刃体および前記第２の刃体は、前記コルゲート管の山の部分を切断する。そして、前記開口部の口縁には、前記コルゲート管の谷に入り込んでそのコルゲート管の長手方向の移動を阻止する第１係止部が設けられる。また、前記カバー体には、前記コルゲート管の谷に入り込んでそのコルゲート管の長手方向の移動を阻止する第２係止部が設けられる。この切断工具によると、第１係止部および第２係止部により、コルゲート管の長手方向に対する切断工具の位置が定まり、第１の刃体と第２の刃体とで、コルゲート管の同じ山の部分を正確に切断することができる。
【発明の効果】
【００１１】
この発明に係る保護管用の切断工具によれば、第２刃部よりも貫通部の中央側に突出するカバー体を設けることで、第２刃部に注意を払う必要がなく、切断作業を円滑に進めることができる。
【図面の簡単な説明】
【００１２】
【図１】この発明の一実施の形態の、切断工具の斜視図である。
【図２】同じく、一部分解斜視図である。
【図３】同じく、分解斜視図である。
【図４】同じく、平面図である。
【図５】同じく、図４におけるＡ−Ａ線による拡大断面図である。
【図６】同じく、図４におけるＢ−Ｂ線による拡大断面図である。
【図７】同じく、カバー体を工具本体に対して９０°回動した平面図である。
【図８】同じく、図７におけるＣ−Ｃ線による拡大断面図である。
【図９】同じく、切断工具からカッターを取り出した要部拡大平面図である。
【図１０】同じく、切断工具を進めて、コルゲート管が開口部を通るときの平面図である。
【図１１】同じく、図１０におけるＤ−Ｄ線による拡大断面図である。
【図１２】同じく、切断工具をさらに進めて、コルゲート管が貫通部に挿入されたときの平面図である。
【図１３】同じく、図１２におけるＥ−Ｅ線による拡大断面図である。
【図１４】同じく、切断工具を時計回りに９０°回動したときの平面図である。
【図１５】同じく、図１４におけるＦ−Ｆ線による拡大断面図である。
【図１６】従来の切断工具を示す、平面図である。
【発明を実施するための形態】
【００１３】
以下、この発明に係る保護管用の切断工具を実施するための形態を図面に基づいて説明する。
【００１４】
図１〜図１５は、本発明の一実施の形態を示す。図中符号１は、配線・配管材（配線材または配管材）を示す。２は、前記配線・配管材１を内部に収容する断面略長円形状の保護管を示す。３は、前記保護管２を、内部の配線・配管材１を切断することなく切断する、切断工具を示す。
【００１５】
この切断工具３は、工具本体４と、その工具本体４に固定される第１の刃体５および第２の刃体６と、カバー体７とを備える。ここで、工具本体４は、保護管２が貫通可能な貫通部４ａと、その貫通部４ａに対し保護管２をその断面略長円形状の幅広方向Ｐ２の側から出し入れ可能な開口部４ｂとを有する。
【００１６】
第１の刃体５の刃部である第１刃部５ａは、工具本体４の開口部４ｂに突出して、その開口部４ｂを保護管２が通ることでその保護管２の断面略長円形状の幅狭方向Ｐ１の側にある第１の周壁２ａを切断する。そして、第２の刃体６の刃部である第２刃部６ａは、工具本体４の貫通部４ａに突出して、その貫通部４ａを貫通する保護管２が工具本体４に対して相対的に回動する（詳しくは、相対的に貫通部４ａの軸心回りに回動する）ことでその保護管２の断面略長円形状の幅広方向Ｐ２の側にある第２の周壁２ｂを切断する。
【００１７】
カバー体７は、貫通部４ａに設けられ、その貫通部４ａの軸心方向に垂直な面に沿って移動可能であって、その移動により、カバー体７は、第２刃部６ａよりも（図示実施の形態においては、第２刃部６ａの少なくとも一方の側面Ｍ（詳しくは、第２刃部６ａの一方の側面Ｍ）を被ってその第２刃部６ａよりも）貫通部４ａの中央側に突出する第１移動域（図４、図６参照）と、第２刃部６ａよりも貫通部４ａの中央側に突出することなく第２刃部６ａを貫通部４ａの中央側に露出させる第２移動域（図７、図８参照）とに渡って移動する。そして、カバー体７は、前記第１移動域中に、貫通部４ａに対し、保護管２を、開口部４ｂを通じて出し入れ可能とする、出し入れ位置（図４参照）を有する。
【００１８】
詳細には、カバー体７は、工具本体４によって、貫通部４ａの軸心回りに回動可能に支持される。そして、カバー体７は、保護管２の外周に係合する係合部７ａを有する。そこで、カバー体７が前記出し入れ位置にあるときに開口部４ｂから貫通部４ａに挿入された保護管２に対し、工具本体４を回動させると、係合部７ａが保護管２の外周に係合してカバー体７がその保護管２側に留まることで、そのカバー体７は、工具本体４に対して相対的に回動して前記第１移動域と第２移動域とに渡って移動するとともに、その第２移動域にて第２刃部６ａが保護管２の第２の周壁２ｂを切断する。より詳細には、この係合部７ａは、保護管２の、第１の周壁２ａ、２ａの両方の外側（図示実施の形態においては、第１の周壁２ａ、２ａの両方および第２の周壁２ｂ、２ｂの一方の外側）に嵌合して、その保護管２を保持する保持部７ｂからなる。なお、嵌合の概念には、ちょうど当接するようにして嵌まる場合の他に、圧入ぎみに嵌まる場合とか、僅かに隙間を有して嵌まる場合を含む。
【００１９】
具体的には、配線・配管材１は、配管材、例えば追焚き用とか床暖房用の配管材であって、２本の管１ａ、１ａが並置され、それら管１ａ、１ａがアルミ積層フィルムとかアルミフィルムとかのフィルム１ｂで巻き付けられて形成される（図４参照）。
【００２０】
保護管２は、その周壁に山谷が形成されたコルゲート管２０１からなる。そこで、切断工具３における第１の刃体５および第２の刃体６（詳しくは、第１刃部５ａおよび第２刃部６ａ）は、コルゲート管２０１の山２ｃの部分を切断する。
【００２１】
工具本体４は、例えば金属製であって、前記貫通部４ａおよび開口部４ｂが設けられた本体部４０１と、その本体部４０１から延出した柄部４０２とを備える。ここで、本体部４０１は、略Ｃ字状に形成されて、その内側が前記貫通部４ａとなり、その両端間が前記開口部４ｂとなる。そして、開口部４ｂにおいては、その開口部４ｂの口縁に（つまり、本体部４０１の略Ｃ字状に湾曲してなる開放側の端部分に）、コルゲート管２０１の谷２ｄに入り込んでそのコルゲート管２０１の長手方向の移動を阻止する第１係止部４ｃが設けられる。図示実施の形態においては、第１係止部４ｃは、本体部４０１の略Ｃ字状に湾曲してなる開放側の両端部分に設けられ、各端部分において、第１の刃体５を挟むように二つ設けられる。
【００２２】
柄部４０２は、本体部４０１の略Ｃ字の中間位置から、開口部４ｂとは反対側に延びて形成され、この柄部４０２を掴むことで、工具本体４、つまりは切断工具３を操作することができる。また、この柄部４０２には、カッター８が、取り出し可能に収容される。図示実施の形態においては、このカッター８におけるカッター本体８ａには、軸孔８ｘがあけられており、その軸孔８ｘに、柄部４０２に設けられた軸部４ｄが嵌合することで、カッター８は、柄部４０２に対して軸支され、柄部４０２内に収容された収容位置（図４参照）と、柄部４０２から取り出された取出し位置（図９参照）との間を回動可能となっている。
【００２３】
このカッター８は、主に、配線・配管材１（詳しくは、配管材）におけるフィルム１ｂを切断するために用いられるものであって、例えば合成樹脂製の前記カッター本体８ａと、そのカッター本体８ａに固定された例えば金属製の刃体８ｂとを備えている（図９参照）。ここで、カッター本体８ａは、先端部分に、フィルム１ｂ等の被切断物を受け入れるスリット８ｃを有する。そして、刃体８ｂは、その刃部８ｄが、スリット８ｃの口元側を向いてスリット８ｃに対し斜めに交差するように延び、かつ、その刃部８ｄの先端８ｅ側が、スリット８ｃの奥側に位置するように配置されている。そして、刃部８ｄの先端８ｅは、スリット８ｃを形成する対向壁Ｑをのり越えることなく、その対向壁Ｑに当接あるいは若干離れて位置している。これにより、フィルム１ｂが、アルミ積層フィルムであったりアルミフィルムであったりしたとき、刃部８ｄの先端８ｅがスリット８ｃの対向壁Ｑをのり越える場合と異なり、ちぎれ易いアルミが、刃部８ｄの先端８ｅ側で細かくちぎれて刃部８ｄの先端８ｅ側とスリット８ｃの対向壁Ｑとの間の先細りの空間８ｆに挟まったまま詰まるのを低減することができる。
【００２４】
また、工具本体４は、本体部４０１および柄部４０２を通じてスライスするように分割された二つの分割体（第１の分割体Ｘ１および第２の分割体Ｘ２）からなる。すなわち、第１の分割体Ｘ１は、本体部４０１を構成する略Ｃ字状の第１本体部４ｅと、柄部４０２を構成する第１柄部４ｆとからなり、同様に、第２の分割体Ｘ２は、本体部４０１を構成する略Ｃ字状の第２本体部４ｇと、柄部４０２を構成する第２柄部４ｈとからなる。そして、これら第１の分割体Ｘ１と第２の分割体Ｘ２とは、自身にあけられた取付孔４ｉを連通するビス等の固着具（図示せず）により、互いに連結される。
【００２５】
そこで、これら第１の分割体Ｘ１と第２の分割体Ｘ２とが（詳しくは、第１本体部４ｅと第２本体部４ｇとが）、前記第１および第２の刃体５、６とカバー体７とを挟み込むようにして支持する。図示実施の形態においては、第１および第２の刃体５、６には、前記取付孔４ｉ、４ｉと連通する孔５ｂ、６ｂがあけられており、これら取付孔４ｉ、４ｉと孔５ｂ、６ｂとをビス等の固着具（図示せず）が貫通することで、第１および第２の刃体５、６は、本体部４０１、つまりは工具本体４に固定される。そして、本体部４０１には、貫通部４ａに臨むとともにカバー体７の外周側が嵌まる溝４ｊが設けられており、カバー体７は、この溝４ｊに案内されて、工具本体４に対して相対的に回動する。
【００２６】
また、この工具本体４には、カバー体７を前記出し入れ位置に保持する掛止め手段９が設けられている。この掛止め手段９は、例えば、カバー体７を弾性的に保持するものであって、図示実施の形態においては、金属製の板ばね９ａからなる。
【００２７】
第１の刃体５は、例えば金属製であって、工具本体４における開口部４ｂを挟む両側に設けられる。この第１の刃体５は、基端側に前述の孔５ｂがあけられ、先端部分が、先細となって開口部４ｂに突出している。そこで、この第１の刃体５の先端部分に、開口部４ｂの口元側を向くように前記第１刃部５ａが設けられる。そして、この第１の刃体５の先端部分における、開口部４ｂの奥側は、刃がなく、かつ、凸状に湾曲して形成された、湾曲部５ｃとなっている（図３参照）。
【００２８】
第２の刃体６は、例えば金属製であって、工具本体４における貫通部４ａを挟む両側に設けられる。この第２の刃体６は、基端側に前述の孔６ｂがあけられ、先端部分が、横長となって貫通部４ａに突出している。そこで、この第２の刃体６の先端部分に、貫通部４ａの中央側を向くように前記第２刃部６ａが設けられる。なお、図示実施の形態においては、第１の刃体５と第２の刃体６とは、連設部１０を介して一体に形成される。もっとも、これら第１の刃体５と第２の刃体６とは、別個に形成されても構わない。
【００２９】
カバー体７は、例えば金属製であって、互いに対向する対向部７ｃ、７ｃと、それら対向部７ｃ、７ｃを一方で繋ぐ中間部７ｄとで、略Ｕ字状に形成されている。そして、このカバー体７は、その外周が円弧状に形成され、前述したように、工具本体４に対して相対的に回動可能となる。そして、カバー体７は、その略Ｕ字の口元側から、コルゲート管２０１（保護管２）が内部に受け入れられる（つまり、前記出し入れ位置は、カバー体７の略Ｕ字の口元側が、工具本体４の開口部４ｂを向くこととなる回動位置である）。そこで、このカバー体７の内周が、コルゲート管２０１（保護管２）の外周に係合する係合部７ａとなり、また、コルゲート管２０１（保護管２）を保持する保持部７ｂともなる。
【００３０】
そして、このカバー体７には、コルゲート管２０１の谷２ｄに入り込んでそのコルゲート管２０１の長手方向の移動を阻止する第２係止部７ｅが設けられる。詳細には、この第２係止部７ｅは、カバー体７の内周に、段差が形成されるようにその厚みが小となって突出する。そして、前記係合部７ａとか保持部７ｂは、このカバー体７の内周の、段差を構成する段部７ｆからなる。なお、図示実施の形態においては、第２係止部７ｅは、内周全体に渡って形成される。
【００３１】
また、カバー体７には、その対向部７ｃに、前記第１移動域にて第２刃部６ａの前方を塞ぐ閉塞片７ｇが、設けられている。詳細には、この閉塞片７ｇは、カバー体７の板面から、少なくとも第２の刃体６の厚みを越える高さとなるよう、突出して形成されており、貫通部４ａの中央側を向く面は、カバー体７の内周（図示実施の形態においては、内周の段部７ｆ）と、面一となって、前記係合部７ａとか保持部７ｂの一部となっている。
【００３２】
また、このカバー体７には、その外周に、凹状の被掛合部７ｈが設けられており、この被掛合部７ｈに、前述の掛止め手段９としての板ばね９ａに設けられた凸状の掛合部９ｂが嵌まることで、カバー体７は、その出し入れ位置に、弾性的に保持される。すなわち、板ばね９ａの掛合部９ｂが、前記出し入れ位置にて、カバー体７の被掛合部７ｈに嵌まり、これによって、カバー体７は、その出し入れ位置に保持される。そして、その板ばね９ａの弾性に抗してカバー体７を回動（移動）させるように力を加えれば、板ばね９ａが変形して被掛合部７ｈが掛合部９ｂから外れ、カバー体７は、工具本体４に対して回動（移動）することができる。
【００３３】
次に、以上の構成からなる切断工具３の作用効果について説明する。この切断工具３によると、本体部４０１（工具本体４）は、コルゲート管２０１（保護管２）が貫通可能な貫通部４ａと、その貫通部４ａに対しコルゲート管２０１を出し入れ可能な開口部４ｂとを有している。ここにおいて、開口部４ｂには、コルゲート管２０１の断面略長円形状の幅狭方向Ｐ１の側にある第１の周壁２ａを切断する第１刃部５ａが突出し、貫通部４ａには、コルゲート管２０１の断面略長円形状の幅広方向Ｐ２の側にある第２の周壁２ｂを切断する第２刃部６ａが突出している。
【００３４】
そして、切断工具３は、貫通部４ａに、カバー体７を備える。このカバー体７は、貫通部４ａの軸心方向に垂直な面に沿って移動することで、第２刃部６ａよりも貫通部４ａの中央側に突出する第１移動域（図４、図６参照）と、第２刃部６ａよりも貫通部４ａの中央側に突出することなく第２刃部６ａを貫通部４ａの中央側に露出させる第２移動域（図７、図８参照）とに渡って移動する。
【００３５】
そこで、この切断工具３により、コルゲート管２０１を切断するには、初めに、カバー体７を第１移動域中の出し入れ位置にして（図４参照）、コルゲート管２０１がその断面略長円形状の幅広方向Ｐ２の側から開口部４ｂを通って貫通部４ａに入るように、切断工具３を進める（図１０、図１２参照）。このとき、コルゲート管２０１の断面略長円形状の幅狭方向Ｐ１の側にある第１の周壁２ａが、開口部４ｂに突出する第１刃部５ａによって切断される（図１０、図１１参照）。
【００３６】
次に、コルゲート管２０１が工具本体４に対して相対的に回動するように、切断工具３を回動する（図１４参照）。これにより、コルゲート管２０１の断面略長円形状の幅広方向Ｐ２の側にある第２の周壁２ｂが、貫通部４ａに突出する第２刃部６ａによって切断される（図１４、図１５参照）。ここで、カバー体７は、切断工具３の回動に先だって作業者の操作により第２移動域に移動したり、切断工具３の回動に連動して第２移動域に移動したりする（図示実施の形態においては、切断工具３の回動に連動して第２移動域に移動する）。なお、図１４および図１５は、切断工具３を時計回りに９０°回動したときの状態を示すが、コルゲート管２０１の第２の周壁２ｂの全体を切断するためには、必要に応じて、さらに切断工具３を時計回りに回動する。
【００３７】
そして、第１および第２の周壁２ａ、２ｂを切断した後（つまり、コルゲート管２０１の全周を切断した後）、コルゲート管２０１の断面略長円形状の幅広方向Ｐ２の側が開口部４ｂ側を向くように、切断工具３の回動位置を定めて（図示実施の形態においては、図１２に示す位置まで、切断工具３を回動して）、切断工具３をコルゲート管２０１から後退させることで、コルゲート管２０１は、貫通部４ａから開口部４ｂを通って外に出ることができる（図１０、図４参照）。ここで、カバー体７は、切断工具３の回動位置を定めた後に作業者の操作により出し入れ位置に移動したり、切断工具３の回動に連動して出し入れ位置に移動したりする（図示実施の形態においては、切断工具３の回動に連動して出し入れ位置に移動する）。
【００３８】
こうして、この切断工具３により、コルゲート管２０１（保護管２）の断面略長円形状の幅狭方向Ｐ１の側にある第１の周壁２ａおよび幅広方向Ｐ２の側にある第２の周壁２ｂを切断することで、コルゲート管２０１内の配線・配管材１を切断することなく、コルゲート管２０１を切断することができる。そして、コルゲート管２０１を工具本体４の貫通部４ａに入れる際とか、コルゲート管２０１を貫通部４ａから出す際には、カバー体７は、第１移動域にあり、第２刃部６ａよりも貫通部４ａの中央側に突出しているため、この第２刃部６ａに注意を払う必要がない。すなわち、コルゲート管２０１を貫通部４ａに対し出し入れする際に、第１移動域にあるカバー体７により、作業者の手などが第２刃部６ａに接触しにくくすることができる。特に、図示実施の形態においては、カバー体７には、その第１移動域において第２刃部６ａの前方を被う閉塞片７ｇが設けられており、この閉塞片７ｇにより、作業者の手などが第２刃部６ａに一層接触しにくくなる。こうして、この切断工具３によれば、第２刃部６ａよりも貫通部４ａの中央側に突出するカバー体７を設けることで、第２刃部６ａに注意を払う必要がなく、コルゲート管２０１の切断作業を円滑に進めることができる。
【００３９】
また、カバー体７は、コルゲート管２０１（保護管２）の外周に係合する係合部７ａを有している。このため、工具本体４（つまり、切断工具３）の回動に連動して、カバー体７は、第１移動域と第２移動域とに渡って移動する。そして、前記第２移動域にて、露出する第２刃部６ａによりコルゲート管２０１の第２の周壁２ｂが切断される。こうして、工具本体４の回動に連動して、カバー体７が工具本体４に対して相対的に移動（詳しくは、回動）するため、第２刃部６ａを露出させたり、再度カバー体７で第２刃部６ａを被ったりするために、工具本体４の回動以外に別途操作する必要がない。
【００４０】
また、係合部７ａは、コルゲート管２０１（保護管２）の第１の周壁２ａ、２ａの両方の外側（図示実施の形態においては、第１の周壁２ａ、２ａの両方および第２の周壁２ｂ、２ｂの一方の外側）に嵌合してそのコルゲート管２０１を保持する保持部７ｂからなり、この保持部７ｂにより、切断工具３（詳しくは、工具本体４）の、コルゲート管２０１に対するがたつきを抑えることができる。このため、切断工具３を、正確にコルゲート管２０１の軸心に対して垂直な方向に回動させることができ、コルゲート管２０１の第２の周壁２ｂの切断を安定して行うことができる。
【００４１】
また、工具本体４（詳しくは、本体部４０１）の開口部４ｂの口縁には、コルゲート管２０１の谷２ｄに入り込んでそのコルゲート管２０１の長手方向の移動を阻止する第１係止部４ｃが設けられ、同様に、カバー体７には、コルゲート管２０１の谷２ｄに入り込んでそのコルゲート管２０１の長手方向の移動を阻止する第２係止部７ｅが設けられている。したがって、これら第１係止部４ｃおよび第２係止部７ｅにより、コルゲート管２０１の長手方向に対する切断工具３の位置が定まり、第１の刃体５と第２の刃体６とで、コルゲート管２０１の同じ山２ｃの部分を正確に切断することができる。
【００４２】
また、第２係止部７ｅは、貫通部４ａに挿入されたコルゲート管２０１の相対的な回動に対し、常にそのコルゲート管２０１の谷２ｄに入り込んで係止しているため、コルゲート管２０１の全周が切断されたときとか、その後にコルゲート管２０１を開口部４ｂから外に出す向きに向けるまでの間に、切断されたコルゲート管２０１の、第２係止部７ｅで係止された側は、その長手方向に離れることはない。
【００４３】
また、切断工具３が、第２係止部７ｅを有しない場合には、切断されて二つになったコルゲート管２０１（保護管２）の両方が、互いに分離するようにして切断工具３から離れる。そこで、露出した配線・配管材１を貫通部４ａから開口部４ｂを通って外に出すにあたって、第２の刃体６の第２刃部６ａを第１移動域（詳しくは、出し入れ位置）にあるカバー体７が被っており、また、第１の刃体５の先端部分における、開口部４ｂの奥側は、刃がなく、湾曲部５ｃ（図３参照）となっていることから、配線・配管材１が、これら第２の刃体６や第１の刃体５で傷付くことがない。もっとも、切断工具３が、第２係止部７ｅを有しない場合には、コルゲート管２０１（保護管２）を切断した後に、露出した配線・配管材１を貫通部４ａから抜き取るように、切断工具３を配線・配管材１の長手方向に移動させてもよい。そして、この場合には、カバー体７を第１移動域に位置させることで、配線・配管材１が第２の刃体６で傷付くことがない。
【００４４】
なお、本発明は、上述した実施の形態に限定されるわけではなく、その他種々の変更が可能である。例えば、配線・配管材１としての配管材は、追焚き用とか床暖房用とかの配管材でなくとも、給水管とか給湯管とか、その他の配管材であってもよい。また、配管材は、管１ａ、１ａにフィルム１ｂが巻き付けられて形成されているが、このフィルム１ｂは、無くともよい。また、配線・配管材１は、配管材の他に、通信用あるいは電力用の配線材であってもよい。
【００４５】
また、切断工具３を用いて保護管２を切断するにあたって、保護管２内に配線・配管材１が挿入された状態で保護管２を切断する場合のほか、保護管２内に配線・配管１材が挿入されていない状態で保護管２を切断しても構わない。
【００４６】
また、カバー体における、係合部７ａや保持部７ｂは、カバー体７の内周の段部７ｆからなっているが、その他に、第２係止部７ｅの先端が、コルゲート管２０１の谷２ｄの底に当たることで、この第２係止部７ｅの先端が、係合部７ａであったり保持部７ｂであったりしてもよい。
【００４７】
また、カバー体７における係合部７ａは、コルゲート管２０１（保護管２）に嵌合する保持部７ｂからならなくとも、カバー体７が、コルゲート管２０１（保護管２）に十分ながた付きを持って係合するものであってもよい。さらには、この係合部７ａは、なくともよい。もっとも、この場合には、カバー体７の第１移動域と第２移動域とに渡る移動は、工具本体４（切断工具３）の回動に連動しなくなるため、このカバー体７の移動を、それ自身を直接動かす等により行う必要がある。
【００４８】
また、切断工具３は、第１係止部４ｃと第２係止部７ｅとを備えているが、これら第１および第２係止部４ｃ、７ｅの一方あるいは両方は、無くともよい。
【００４９】
また、カバー体７は、互いに対向する対向部７ｃ、７ｃと、それら対向部７ｃ、７ｃを一方で繋ぐ中間部７ｄとで、略Ｕ字状に形成されているが、中間部７ｄを無くして、分離した二つの対向部７ｃ、７ｃからなっていてもよい。こうすることで、出し入れ位置となるカバー体７の回動位置を、半回転（１８０°）単位で設けることができる。そして、この場合には、それぞれの対向部７ｃ、７ｃを、工具本体４に対して回動可能に支持する必要があり、また、それぞれの対向部７ｃ、７ｃを、板ばね９ａ等の掛止め手段９によって出し入れ位置に保持するのが望ましい。
【００５０】
また、カバー体７は、第１移動域と第２移動域とに渡る移動が、回動によってなされるものでなくとも、並進移動によってなされるものであってもよい。また、この第１移動域と第２移動域とに渡る移動は、切断工具３の回動に連動するものでなくとも、作業者の操作によるものであってもよい。
【００５１】
また、カバー体７は、第２刃部６ａの一方の側面Ｍを被うものであるが、第２刃部６ａの両方の側面を被うものであってもよい。また、カバー体７は、第２刃部６ａの前方を被う閉塞片７ｇを有しているが、この閉塞片７ｇは、なくともよい。
【００５２】
また、カバー体７は、第１移動域中に、貫通部４ａに対し、保護管２を、開口部４ｂを通じて出し入れ可能とする、出し入れ位置を有するが、これに加えて、第２移動域中にも、出し入れ可能とする位置が設けられてもよい。
【００５３】
また、第１の刃体５と第２の刃体６とは、それぞれ一対設けられているが、片方だけであってもよい。ここで、第１の刃体５が片方だけである場合には、保護管２を開口部４ｂから貫通部４ａに入れる際に切断されるのは、保護管２の第１の周壁２ａ、２ａの一方のみであるが、保護管２に対する切断工具３の向きを変えて出し入れしたり、切断工具３を上下反転して出し入れしたりすることで、第１の周壁２ａ、２ａの両方を切断することができる。
【００５４】
また、保護管２は、コルゲート管２０１でなくとも、平滑管等その他の管であってもよい。
【符号の説明】
【００５５】
１  配線・配管材
２  保護管
２０１  コルゲート管
２ａ  第１の周壁
２ｂ  第２の周壁
２ｃ  山
２ｄ  谷
３  切断工具
４  工具本体
４ａ  貫通部
４ｂ  開口部
４ｃ  第１係止部
５  第１の刃体
５ａ  第１刃部
６  第２の刃体
６ａ  第２刃部
７  カバー体
７ａ  係合部
７ｂ  保持部
７ｅ  第２係止部
Ｐ１  幅狭方向
Ｐ２  幅広方向
【図１】
2015073642.tif 000003
【図２】
2015073642.tif 000004
【図３】
2015073642.tif 000005
【図４】
2015073642.tif 000006
【図５】
2015073642.tif 000007
【図６】
2015073642.tif 000008
【図７】
2015073642.tif 000009
【図８】
2015073642.tif 000010
【図９】
2015073642.tif 000011
【図１０】
2015073642.tif 000012
【図１１】
2015073642.tif 000013
【図１２】
2015073642.tif 000014
【図１３】
2015073642.tif 000015
【図１４】
2015073642.tif 000016
【図１５】
2015073642.tif 000017
【図１６】
2015073642.tif 000018